(57)【要約】【課題】  ＤＶＤレコーダのような録画再生装置において、録画再生装置の電源投入直後からの操作環境を、初心者や不慣れなユーザにとっても、分かりやすくて使い勝手のよい、ユーザフレンドリィなものとして提供すること。【解決手段】  ＤＶＤレコーダなどの録画再生装置が電源投入されると、録画再生装置に接続されたＴＶ受像機などの表示装置上に、初期メニュー画面の表示を行なう。【選択図】      図５
2005332553.tif 000002
【特許請求の範囲】
【請求項１】
表示装置に接続可能であるとともに、記録メディアから画像データや音声データを再生し、また、前記記録メディアに画像データや音声データを記録する録画再生装置において、
前記録画再生装置が前記表示装置に接続され且つ前記表示装置が電源投入状態またはスタンバイ状態にある際に、前記録画再生装置への電源投入に応じて、前記表示装置に前記録画再生装置を操作するための初期メニュー画面を表示させるガイド表示制御手段を備えてなることを特徴とする録画再生装置。
【請求項２】
前記初期メニュー画面は、大きく目的別に分けられた項目を表示することを特徴とする請求項１に記載の録画再生装置。
【請求項３】
前記初期メニュー画面は、前記録画再生装置の電源投入前の表示装置の表示への復帰に対する指示項目を含んでなることを特徴とする請求項２に記載の録画再生装置。
【請求項４】
前記表示装置に表示される項目の選択、決定や、次メニュー画面の表示や前メニュー画面の戻り表示を行なう「矢印」キー、「決定」キー、「戻る」キーを有するリモコンを備えてなることを特徴とする請求項１から３いずれかに記載の録画再生装置。
【請求項５】
前記記録メディアは着脱可能な記録メディアであり、前記録画再生装置は前記記録メディアを装填するためのトレイ、及び前記トレイの排出・引き込み駆動制御手段を備え、
前記初期メニュー画面は、前記録画再生装置への録画、又は再生操作を示す項目を含んでなり、前記トレイの排出・引き込み駆動制御手段は、前記初期メニュー画面により録画、又は再生の指示時において、前記録画再生装置への前記記録メディアの装填状態を検出し、装填されていない場合に、前記トレイの排出駆動を行うことを特徴とする請求項１から４いずれかに記載の録画再生装置。
【発明の詳細な説明】
【技術分野】
【０００１】
本発明は、テレビジョン受像機（以下、ＴＶ受像機と記す）に代表される表示装置に接続可能とされた録画再生装置に係り、特に、表示装置に録画再生装置を操作するためのメニュー画面を表示させる、いわゆるオンスクリーンガイド（操作ガイドメニュー表示）にかかわる技術に関するものである。
【背景技術】
【０００２】
記録メディアとして、現在主流のものでも、音声を再生できるＣＤ（コンパクトディスク）に始まり、映像および音声を再生できるＤＶＤ(デジタルバーサタイルディスク)が、広く使用されている。ＣＤだけを例にとっても、市販の音楽ソフトなどの記録メディアとして使用されているだけでなく、パーソナルコンピュータなどを使用して、音声データ以外に、静止画や動画を記録できるものもある。また、ＤＶＤにおいては、市販の映画ソフト、音楽ソフトの記録メディアとして用いられるだけでなく、ＴＶ受像機、パーソナルコンピュータなどを使用して、テレビ放送番組あるいはネット配信されるビデオコンテンツの記録、編集などにも広く使用されている。このように、記録メディアはその利用が拡がっており、一般家庭にも、主として映像・音声のコンテンツを記録するための記録メディアとして、広く普及してきている。
【０００３】
ところで、従来は、ＣＤやＤＶＤの市販ソフトを購入し、それぞれの記録メディアを再生することができる機器を利用して、音楽や映像を楽しむ（再生のみを楽しむ）という利用形態が一般的であった。しかし、近年、パーソナルコンピュータを使用しなくても、テレビ放送番組やビデオカメラで撮影した映像データを、ＤＶＤに手軽に記録できる民生機器が普及し始めており、先にも述べたように、ＤＶＤが一般消費者にも広く浸透し始めている。
【０００４】
このようなＤＶＤの種類には各種のものが出回っており、書き換え可能なものだけでも、ＤＶＤ−ＲＷ、ＤＶＤ＋ＲＷ、ＤＶＤ−ＲＡＭなどがあり、さらに書き込みが１回だけのものもある等、多くの種類が流通しており、また、このようなＤＶＤへの記録方式も多種にわたっている。
【０００５】
ＤＶＤに記録可能な民生機器（ＤＶＤレコーダなど）は、一般的に、ＣＤに記録された音楽データや静止画データの再生や、ＤＶＤに記録された映画等の映像・音声データの再生を行えるだけでなく、テレビ放送番組やビデオカメラで撮影した映像データなどを、記録し、編集し、保管して、再生することができるようになっている。
【０００６】
このため、ユーザは、上記のような多くの機能から目的の操作を選択しなければならず、したがって、ユーザが操作に対する十分な知識が無かったり、経験がない場合には、ユーザにとって、目的の操作を行うには多くの労力を強いられ、また、イライラ感がつのるものとなる。
【０００７】
例えば、ＤＶＤの市販映画ソフトを視聴する場合を例にとって説明する。まず、電源投入状態にあるＴＶ受像機に接続された、ＤＶＤが記録再生可能な録画再生装置（ＤＶＤレコーダ）に、ユーザは電源を投入する。このとき、ＴＶ受信機では現在受信しているテレビ放送が表示され続ける。ＤＶＤレコーダに電源投入後、ユーザは、ＤＶＤレコーダのトレイのイジェクトボタンを押してトレイを装置外へ排出させて、視聴したいＤＶＤをトレイにセットし、次に、再度イジェクトボタンを押してトレイを装置内に納めて、ＤＶＤを装置内の所定位置に装填する。これにより、装填されたＤＶＤが自機に適合する記録済みのＤＶＤであることを、ＤＶＤレコーダが認識した後、ユーザがＤＶＤレコーダのリモコンの再生キーを操作してＤＶＤの再生を指示することで、ＤＶＤレコーダはＤＶＤの再生動作を開始し、ＤＶＤレコーダに接続されたＴＶ受像機で、ユーザは映画などの視聴を楽しむことになる。また、オンスクリーンガイド（操作ガイドメニュー表示）機能により、再生を操作するようになっている場合には、ユーザは、まずリモコンのメニューキーを操作して、ＴＶ受像機に操作用のメニュー画面を表示させ、次に、このメニュー画面と対話式にＤＶＤの再生をリモコンで指示することで、ＤＶＤレコーダに接続されたＴＶ受像機で、映画の視聴を楽しむことになる。このように、ＤＶＤの市販映画ソフトを視聴するという簡単な操作においても、ユーザは、イジェクトボタンを操作することによるトレイの排出／収納の操作や、リモコンの所定キーを探してこれをプッシュするという操作を行う必要がある。
【０００８】
また、記録可能なＤＶＤにテレビ放送番組の予約録画を行う場合を説明する。この場合も、まず、ユーザはＤＶＤレコーダに電源を投入する。次に、ＤＶＤレコーダのトレイのイジェクトボタンを押してトレイを装置外へ排出させて、予約録画をするためのＤＶＤをトレイにセットし、再度イジェクトボタンを押してトレイを装置内に納めて、ＤＶＤを装置内の所定位置に装填する。これにより、ＤＶＤレコーダに、記録可能なＤＶＤが装填されていることを確認させる。次に、ユーザが、ＤＶＤレコーダのリモコンのメニューキーを操作して、ＴＶ受像機に操作用のメニュー画面を表示させ、選択可能な項目の中から録画予約ができるメニュー画面を呼び出すまで１回以上のキー操作を行ない、録画予約用のメニュー画面を用いて、必要なチャンネル、日付、時間、録画時間、記録レート、記録方式を入力することになる。この録画予約を行う場合においても、ユーザは、イジェクトボタンを操作することによるトレイの排出／収納の操作を行う必要があり、しかも、リモコンを用いたキー操作と手順が多くなり、また、どこにその目的に達するため操作キーがあるかを調べなくてはならない。
【０００９】
加えて、最近では、ハードディスクドライブ（以下、ＨＤＤと記す）に記録、再生のできる機能を有したＨＤＤを搭載したＤＶＤレコーダも商品化されており、機能の充実した機種が普及しつつある。しかし、ユーザにしてみれば、ＤＶＤレコーダの機能に加えて、さらにＨＤＤの機能が追加され、ＨＤＤにテレビ放送番組やビデオカメラによる撮影映像を記録したり、記録した映像データを編集したり、また、ＨＤＤに記録したコンテンツをＤＶＤにコピーしたり、逆に、ＤＶＤに記録したコンテンツをＨＤＤにコピーしたりと、便利な機能が増えた反面、その多くの機能を使いこなすため、操作の手順や操作キーの配置を覚えなければならず、取扱説明書などを十分に読みこなす必要がある。
【００１０】
なお、光ディスクプレーヤにおいて、対話画面のメニューにおける選択項目を選択することで、操作を行うようにした技術が公知となっているが（特許文献１参照）、これは光ディスクから読み取られたプログラムに応じて動作するものである。
【特許文献１】特開２００１−１１８３１２号
【発明の開示】
【発明が解決しようとする課題】
【００１１】
上述したように、ＤＶＤの市販映画ソフトを視聴するという比較的に簡単な操作であっても、取扱説明書で操作方法を調べ、リモコンのキー配置などを確認して、キー操作を行う必要があるので（ＤＶＤレコーダの操作方法を理解して操作する必要があるので）、初心者や不慣れなユーザなどが操作すると、操作に非常に時間がかかったり、また、要求通りの結果を得られないことがあり得る。特に、リモコンに装備されるキーの種類が多い場合や、反対に、リモコンに装備されるキーが少なく１つのキーが複数の操作機能を担っている場合などには、初心者や不慣れなユーザには、不親切な操作環境となっていた。
【００１２】
また、ＤＶＤを再生するため、リモコンの再生キーを押したり、オンスクリーンガイド機能のメニュー画面の項目によって再生を選択決定したときに、ＤＶＤレコーダにＤＶＤが装填されていない場合には、「ディスクが入っていません、ディスクを入れてください」という表示を行うのみであるので、イジェクトボタンを押さないとディスクを装填するためのトレイが排出されるということを理解していない初心者には、不親切な操作環境となっていた。
【００１３】
さらに、テレビ放送番組などのコンテンツをＤＶＤやＨＤＤに録画し、編集し、コピーしたりするなど、多くの機能を使いこなすためには、数多い項目の中から順次選択を行って、目的に合った複雑な操作手順を実行し、また、多数の操作キーから目的にあったキーを選択しなければならず、便利な機能の使用を躊躇する原因となっていた。
【００１４】
また、まったくの初心者は、何をしていいかわからなかったり、メニュー画面を出すことも理解していなかったりするため、多くの時間と労力が必要になり、使用を断念することもあった。図８は、メニュー画面を用いて操作を行う従来の処理の流れを示すもので、ＤＶＤレコーダの電源投入（ステップＳ９１）の後、リモコンのメニューキーをプッシュしないと、ＴＶ受信機では現在受信しているテレビ放送が表示され続ける（ステップＳ９２）。つまり、ステップＳ９３でリモコンのメニューキーをプッシュすることで、はじめて、ＴＶ受信機にはメニュー画面が表示される（ステップＳ９４）のであるが、これが、まったくの初心者には理解できていないこともあり得た。このように、多くの機能を有するＤＶＤレコーダでは、まず、ユーザにメニュー画面を呼び出させる操作を強いており、初心者や不慣れなユーザには、不親切で使いづらい操作環境となっていた。
【００１５】
なお、前記した特許文献１に記載された技術は、光ディスクに記録されている内容を選択する操作環境のみを実現するもので、メニュー画面の表示をいつ、どのような契機で行うかについては、具体的に記載されていない。
【００１６】
本発明は上述したような点に鑑みなされたもので、その目的とするところは、ＤＶＤレコーダのような録画再生装置において、録画再生装置の電源投入直後からの操作環境を、初心者や不慣れなユーザにとっても、分かりやすくて使い勝手のよい、ユーザフレンドリィなものとして提供することにある。
【課題を解決するための手段】
【００１７】
上記した目的を達成するため、表示装置に接続可能であるとともに、記録メディアから画像データや音声データを再生し、また、前記記録メディアに画像データや音声データを記録する録画再生装置において、
前記録画再生装置が前記表示装置に接続され且つ前記表示装置が電源投入状態またはスタンバイ状態にある際に、前記録画再生装置への電源投入に応じて、前記表示装置に前記録画再生装置を操作するための初期メニュー画面を表示させるガイド表示制御手段を備えた、構成とする。
また、前記初期メニュー画面は、大きく目的別に分けられた項目を表示するように、構成する。
また、前記初期メニュー画面は、前記録画再生装置の電源投入前の表示装置の表示への復帰に対する指示項目を含むように、構成する。
また、前記表示装置に表示される項目の選択、決定や、次メニュー画面の表示や前メニュー画面の戻り表示を行なう「矢印」キー、「決定」キー、「戻る」キーを有するリモコンを備えた、構成とする。
また、前記記録メディアは着脱可能な記録メディアであり、前記録画再生装置は前記記録メディアを装填するためのトレイ、及び前記トレイの排出・引き込み駆動制御手段を備え、
前記初期メニュー画面は、前記録画再生装置への録画、又は再生操作を示す項目を含んでなり、前記トレイの排出・引き込み駆動制御手段は、前記初期メニュー画面により録画、又は再生の指示時において、前記録画再生装置への前記記録メディアの装填状態を検出し、装填されていない場合に、前記トレイの排出駆動を行うように、構成する。
【発明の効果】
【００１８】
本発明によれば、ＤＶＤレコーダなどの録画再生装置が電源投入されると、録画再生装置に接続されたＴＶ受像機などの表示装置上に、初期メニュー画面の表示がなされるので、録画再生装置を操作するためにメニュー画面を呼び出すことも理解していないようなユーザに対しても、録画再生装置の電源投入だけで、直ちに録画再生装置を操作するためユーザ操作インターフェースを知らしめることができる。すなわち、録画再生装置の電源投入直後からの操作環境を、初心者や不慣れなユーザにとっても、分かりやすくて使い勝手のよい、ユーザフレンドリィなものとして提供することができる。また、大きく目的別に分けられた項目を表示する初期メニュー画面の表示から、ユーザの目的に沿って対話式に項目を選択していくことで、自然と目的を達成することができるので、慣れないユーザでも、録画再生装置のもつ機能を、簡単・容易に使いこなすことができる。  
なお、録画再生装置へ電源投入を行うと、表示装置が電源投入状態にあって現在受信しているＴＶ放送を表示している最中であっても、表示装置上には、強制的に初期メニュー画面が表示され、あるいは、表示装置がスタンバイ状態にある際には、表示装置を電源オンさせて、表示装置上には、強制的に初期メニュー画面が表示されることになるが、最初に表示される初期メニュー画面の中に、表示装置の表示を録画再生装置の電源投入前に戻す指示項目、例えば表示装置がＴＶ受像機ならば、「テレビを見る」という項目を入れておけば、録画再生装置を電源オンさせただけで録画再生装置の操作をすぐには行わず、とりあえずＴＶ放送の視聴を行いたいというユーザであっても、「テレビを見る」という項目の選択・決定だけで、すぐにテレビ放送を視聴することが可能となる。
【００１９】
また、表示装置に表示されるメニュー画面と対話式に行う操作を、リモコンまたは録画再生装置の本体に具備されている「矢印」キー（上下左右方向のカーソルキー）、「決定」キー、「戻る」キーのみを用いて、目的の機能を大きな分類から詳細な分類へと順次選択指定していくことで行えるので、複雑な操作手順や、多数の操作キーの位置・機能を覚えることなく、録画再生装置のもつ機能を、簡単・容易に使いこなすことができる。
【００２０】
また、メニュー画面を用いて、ＤＶＤなどの記録メディアを用いた記録、再生、編集などの動作を指示した際に、録画再生装置内に記録メディアが装填されていない場合には、記録メディアを装填するためのトレイを自動的に排出し、排出されたトレイに記録メディアをセットした後、「決定」キーをプッシュすることで、トレイの収納を自動的に行うので、ユーザが録画再生装置のイジェクトボタンを操作する手間が省かれ、この点でもユーザフレンドリィなものとなる。
【００２１】
総じて、本発明によれば、ユーザの学習の手間や、ユーザのキー操作の工数などを極力抑えることが可能で、以って、録画再生装置の操作環境を電源投入直後から、初心者や不慣れなユーザにとっても、分かりやすくて使い勝手のよい、ユーザフレンドリィなものとして提供することができる。
【発明を実施するための最良の形態】
【００２２】
以下、本発明の実施の形態を、図面を用いて説明する。
【００２３】
図１は、本発明の一実施形態（以下、本実施形態と記す）に係るＨＤＤ付きの光ディスク録画再生装置の外観を示す斜視図、図２は、本実施形態の光ディスク録画再生装置と、これに接続された表示装置であるＴＶ受像機の外観を示す斜視図である。
【００２４】
図１、図２において、１は光ディスク録画再生装置、２は光ディスク録画再生装置１に付属するリモコン、３は、光ディスク録画再生装置１に接続された外部表示装置としてのＴＶ受像機である。４は、光ディスク録画再生装置１に設けられたイジェクトボタンで、光ディスク録画再生装置１に電源を投入した状態でこのイジェクトボタン４を押すと、光ディスク（ここでは、例えばＤＶＤ）を装置内に装填するためのトレイ５が装置外に排出されるようになっており、排出されたトレイ５上に光ディスクを搭載・位置決めした後、イジェクトボタン４を再び押すと、トレイ５が装置内に引き込み・収納されて、光ディスクが装置内の所定位置に装填されるようになっている。なお、本実施形態では、イジェクトボタン４を押さなくても、トレイ５が排出されたり、引き込み・収納されるようにもなっている（これについては、後述する）。また、６は、光ディスク録画再生装置１に設けられた電源ボタンで、この電源ボタンを押すこと、または、光ディスク録画再生装置１がスタンバイ状態にある際にリモコン２の電源キーを押すことで、光ディスク録画再生装置１は電源を投入されるようになっている。また、７は、光ディスク録画再生装置１に設けられた操作キー群で、この操作キー群７を用いることで、各種の操作入力が行えるようになっている。
【００２５】
図３はリモコン２の要部を示す図で、同図に示すように、リモコン２には、「矢印」キー（上下左右方向のカーソルキー）１１、「決定」キー１２、「戻る」キー１３が設けられていて、この「矢印」キー１１、「決定」キー１２、「戻る」キー１３のみを用いて、ＴＶ受像機３上に表示されたメニュー画面と対話式に、項目の選択、決定や、次メニュー画面の表示や前メニュー画面の戻り表示を行なうことで、目的の動作までの操作が行えるようなっている。なお、光ディスク録画再生装置１（装置本体）の操作キー群７にも、「矢印」キー、「決定」キー、「戻る」キーが設けられていて、装置本体１の「矢印」キー、「決定」キー、「戻る」キーのみを用いても、同様に、ＴＶ受像機３上に表示されたメニュー画面と対話式に、項目の選択、決定や、次メニュー画面の表示や前メニュー画面の戻り表示を行なうことで、目的の動作までの操作が行えるようなっている。
【００２６】
図４は、本実施形態の光ディスク録画再生装置１の簡略化した機能構成図である。図４において、２１は、光ディスク録画再生装置１の全体制御を司る主制御部、２２は、各種制御プログラムや固定保持するデータなどを格納したＲＯＭや、各種データが読み書きされワークエリアなどとして用いられるＲＡＭ等を含んで構成されたメモリ、２３は、画像・音声データを、記録あるいは再生あるいは外部との入出力のために、圧縮・伸張処理など、適宜に変換処理したりする画像・音声データ処理部、２４は、光ディスク録画再生装置１に接続されたＴＶ受像機３などの表示装置と、制御データや映像データや音声データを入出力する外部通信処理部、２５は、光ディスク録画再生装置１に接続されたＴＶ受像機３などの表示装置に表示させるためのメニュー画面を、主制御部２１の制御のもとに生成する操作ガイドメニュー画面生成部（オンスクリーンガイド生成部）、２６は、光ディスクの駆動制御や光ディスクの読み書き制御などを行なう光ディスクドライバ制御部、２７は、光ディスクドライバ制御部２６により駆動制御される光ディスクドライバ、２８は、トレイ５の出し入れの制御を行なうトレイ駆動制御部、２９は、トレイ駆動制御部２８により駆動制御されるトレイ駆動部、３０は、ＨＤＤの駆動制御やＨＤＤの読み書き制御などを行なうＨＤＤ制御部、３１は、ＨＤＤ制御部３０により駆動制御されるＨＤＤ、３２は、リモコン２や装置本体の操作キーなどによるユーザの入力を受け付けて、このユーザ入力を解釈して主制御部２１に通知するユーザ入力解釈部、３３はシステムバスである。なお、本願の請求項でいうガイド表示制御手段は、図４中の主制御部２１、外部通信制御部２４、操作ガイドメニュー画面生成部２５、ユーザ入力解釈部３２などで構成されるものである。
【００２７】
次に、本実施形態の動作を説明する。
まず、初期メニュー画面の表示について、図５を用いて説明する。光ディスク録画再生装置１がＴＶ受像機３に接続され、かつ、ＴＶ受像機３が電源投入状態またはスタンバイ状態にある際に、ユーザが光ディスク録画再生装置１を電源オンすると（ステップＳ５１）、これを受けて主制御部２１は、操作ガイドメニュー画面生成部２５によって操作用の初期メニュー画面の映像データを生成させ、これを外部通信処理部２４からＴＶ受像機３に送出して、初期メニュー画面の表示を行わせる（ステップＳ５２）。このとき、ＴＶ受像機３が電源投入状態にあって現在受信しているＴＶ放送を表示している最中であっても、主制御部２１は外部通信処理部２４により、接続されたＴＶ受像機３との通信により、ＴＶ受像機３の入力を録画再生装置が接続されている入力に切換えるように制御することで、ＴＶ受像機３には初期メニュー画面が表示される。また、ＴＶ受像機３がスタンバイ状態にある際には、同様に主制御部２１は外部通信処理部２４を通じてＴＶ受像機３を電源オンさせ、更に入力を録画再生装置が接続されている入力に切換えて、然る後、ＴＶ受像機３に初期メニュー画面を表示させる。
【００２８】
初期メニュー画面には、図５に示すように、大きく目的別に分けられた項目を表示するようになっており、ここでは、「ＤＶＤを見る」、「ＨＤＤを見る」、「テレビを見る」、「テレビを録画する」、「コピーする」、「編集する」という６つの項目が表示されるようになっている。
【００２９】
本実施形態では、初期メニュー画面の項目の中から、ユーザが所望の項目を「矢印」キー１１を用いて選択し、次に、「決定」キー１２を押すことで、その項目を実行させるようになっており、初期メニュー画面で選択・決定された項目に対応する次メニュー画面がある場合には、主制御部２１の指示で操作ガイドメニュー画面生成部２５が生成した、より細かい項目を示す次メニュー画面が、ＴＶ受像機３上に表示される。このように、メニュー画面と対話式に、「矢印」キー１１と「決定」キー１２を用いた操作を行なうことで、ユーザは目的の動作までの操作を、簡単・容易に行えるようになっている。また、操作の途上でユーザが誤った決定を行なって、次メニュー画面の表示に進んだとしても、「戻る」キー１３を押すことで、１つ前のメニュー画面に戻って、再度選択をやり直すことができるようになっている。
【００３０】
したがって、光ディスク録画再生装置１に電源を入れてから、どのような操作を行なってよいか分からず、まったく使用できなかったユーザであっても、図５に示すとおり、メニュー画面に表示された項目の中から目的の項目を選んで行くだけという、画面との対話式による簡単な操作で、容易・確実に、実行したい項目を選ぶことができるようになっている。よって、初心者のユーザであっても、複雑な操作手順を知る必要なく、光ディスク録画再生装置１のもつ機能を使いこなせるものとなる。また、「矢印」キー１１、「決定」キー１２、「戻る」キー１３のみを用いて操作が行えるので、多数の操作キーの位置・機能を覚える必要もなくなり、素早く分かり易い操作が行えるので、ユーザにとって使い易いものとなる。
【００３１】
なお、ＴＶ受像機３に強制的に初期メニュー画面が表示されても、最初に表示される初期メニュー画面の中に「テレビを見る」という項目があるので、光ディスク録画再生装置１を電源オンさせただけで光ディスク録画再生装置１の操作をすぐには行わず、とりあえずＴＶ放送の視聴を行いたいというユーザであっても、「テレビを見る」という項目の選択・決定だけで、すぐにテレビ放送を視聴することが可能となるので、ユーザにとって不都合は殆どない。
【００３２】
次に、初期メニュー画面で「ＤＶＤを見る」を選択・決定した場合の動作について、図６を用いて説明する。前記したようにして、ＴＶ受像機３に初期メニュー画面が表示された状態において、ユーザが「ＤＶＤを見る」を選択・決定すると（ステップＳ６１）、主制御部２１は、光ディスクドライバ制御部２６、光ディスクドライバ２７により、光ディスク録画再生装置１内に、自機に適合したＤＶＤが装填されているか否かを判定し（ステップＳ６２）、装填されている場合には、装置内の動作が必要な各部を制御して、ＤＶＤの再生を実行させ、ＤＶＤから再生された映像・音声データを適宜に変換した映像・音声信号をＴＶ受像機３に出力して、これにより、ＴＶ受像機３に映像の表示と音声の出力を行なわせる（ステップＳ６３）。
【００３３】
他方、ステップＳ６２の判定でＤＶＤが装填されたていなかった場合には、主制御部２１は、トレイ駆動制御部２８によってトレイ駆動部２９を駆動させて、トレイ５を自動的に排出させ（ステップＳ６４）、また、操作ガイドメニュー画面生成部２５によって操作用の次メニュー画面の映像データを生成させて、これをＴＶ受像機３に表示させる（ステップＳ６５）。このとき表示されるメニュー画面には、図６に示すように、「ＤＶＤを入れて下さい。入れましたら、決定キーを押して下さい。」などといった、ガイドメッセージが表示される。ユーザがこのメニュー画面を見て、トレイ５にＤＶＤを載置した後に、「決定」キー１２を押すと（ステップＳ６６）、これを受けて主制御部２１は、トレイ駆動制御部２８によってトレイ駆動部２９を駆動させて、トレイ５を引き込ませてＤＶＤを所定位置に装填させ（ステップＳ６７）、然る後、ＤＶＤの再生を実行させて、ＴＶ受像機３に映像の表示と音声の出力を行なわせる（ステップＳ６３）。
【００３４】
次に、初期メニュー画面で「テレビを録画する」を選択・決定した場合の動作について、図７を用いて説明する。前記したようにして、ＴＶ受像機３に初期メニュー画面が表示された状態において、ユーザが「テレビを録画する」を選択・決定すると（ステップＳ７１）、これを受けて主制御部２１は、操作ガイドメニュー画面生成部２５によって次メニュー画面の映像データを生成させて、これをＴＶ受像機３に表示させる（ステップＳ７２）。このステップＳ７２で表示されるメニュー画面には、図７に示すように、「ＤＶＤに録画する」、「ＨＤＤに録画する」、「ＤＶＤに録画予約する」、「ＨＤＤに録画予約する」の４つの項目が表示される。いま、ユーザが「ＤＶＤに録画予約する」の項目を選択・決定したとすると、これを受けて主制御部２１は、操作ガイドメニュー画面生成部２５によって次メニュー画面の映像データを生成させて、これをＴＶ受像機３に表示させる（ステップＳ７３）。このステップＳ７３で表示されるメニュー画面には、予約録画に必要な情報を順次入力するための項目が表示され、このステップＳ７３のメニュー画面と対話式に、ユーザは「矢印」キー１１、図示せぬテンキー、「決定」キー１２を使って、数値を入力したり、次の項目の入力モードにしたりする。最終的に入力がし終わると、ユーザは「決定」キー１２を押す。これを受けて主制御部２１は、光ディスク録画再生装置１内に録画用のＤＶＤが装填されているか否かを判定し（ステップＳ７４）、装填されている場合には、録画予約待ちのモードに移行する（ステップＳ７５）。
ここでは、予約録画情報を順次入力する方法について説明しているが、他にＧコードやＥＰＧ（電子番組ガイド）を使った予約であってもよい。
【００３５】
他方、ステップＳ７４の判定でＤＶＤが装填されたていなかった場合には、主制御部２１は、トレイ駆動制御部２８によってトレイ駆動部２９を駆動させて、トレイ５を自動的に排出させ（ステップＳ７６）、また、操作ガイドメニュー画面生成部２５によって操作用の次メニュー画面の映像データを生成させて、これをＴＶ受像機３に表示させる（ステップＳ７７）。このときステップＳ７７で表示されるメニュー画面には、「ＤＶＤを入れて下さい。入れましたら、決定キーを押して下さい。」などといった、ガイドメッセージが表示される。ユーザがこのメニュー画面を見て、トレイ５にＤＶＤを載置した後に、「決定」キー１２を押すと（ステップＳ７８）、これを受けて主制御部２１は、トレイ駆動制御部２８によってトレイ駆動部２９を駆動させて、トレイ５を引き込ませてＤＶＤを所定位置に装填させ（ステップＳ７９）、然る後、ステップＳ７５の録画予約待ちのモードに移行する（ステップ７５）。
【図面の簡単な説明】
【００３６】
【図１】本発明の一実施形態に係る光ディスク録画再生装置の外観を示す斜視図である。
【図２】本発明の一実施形態に係る光ディスク録画再生装置と、これに接続された表示装置であるＴＶ受像機の外観を示す斜視図である。
【図３】本発明の一実施形態に係る光ディスク録画再生装置に付属する、リモコン２の要部を示す説明図である。
【図４】本発明の一実施形態に係る光ディスク録画再生装置の機能構成を示すブロック図である。
【図５】本発明の一実施形態に係る光ディスク録画再生装置の動作を、メニュー画面の表示をまじえて示すフローチャートである。
【図６】本発明の一実施形態に係る光ディスク録画再生装置の動作を、メニュー画面の表示をまじえて示すフローチャートである。
【図７】本発明の一実施形態に係る光ディスク録画再生装置の動作を、メニュー画面の表示をまじえて示すフローチャートである。
【図８】従来の光ディスク録画再生装置の動作を、メニュー画面の表示をまじえて示すフローチャートである。
【符号の説明】
【００３７】
１  光ディスク録画再生装置
２  リモコン
３  ＴＶ受像機
４  イジェクトボタン
５  トレイ
６  電源ボタン
７  操作キー群
１１  「矢印」キー（上下左右方向のカーソルキー）
１２  「決定」キー
１３  「戻る」キー
２１  主制御部
２２  メモリ
２３  画像・音声データ処理部
２４  外部通信処理部
２５  操作ガイドメニュー画面生成部（オンスクリーンガイド生成部）
２６  光ディスクドライバ制御部
２７  光ディスクドライバ
２８  トレイ駆動制御部
２９  トレイ駆動部
３０  ＨＤＤ制御部
３１  ＨＤＤ
３２  ユーザ入力解釈部
３３  システムバス
【図１】
2005332553.tif 000003
【図２】
2005332553.tif 000004
【図３】
2005332553.tif 000005
【図４】
2005332553.tif 000006
【図５】
2005332553.tif 000007
【図６】
2005332553.tif 000008
【図７】
2005332553.tif 000009
【図８】
2005332553.tif 000010